(57)【要約】【課題】本発明により、トラッキング現象を防止するとともに、電源コードの重量を軽量化する前記温度センサ付電源プラグを提供することを目的とする。【解決手段】この発明は、コンセントに備わる長方形状のライン側差込口に挿入可能なライン側端子１０と、コンセントに備わる長方形状のニュートラル側差込口に挿入可能なニュートラル側端子２０と、信号用芯線５３ａと接続可能な機器側接続体６３及びニュートラル側接続体６４を有する温度センサ端子６０と、ライン側端子１０とニュートラル側端子２０の一端と温度センサ端子６０を内包するハウジング３０とを備える電源プラグ１であって、温度センサ端子６０の機器側接続体６３を信号用芯線５３ａと接続させるとともに、ニュートラル側接続体６４とニュートラル側端子２０とをハウジング３０内で接続することとした。【選択図】図３
2016115520.tif 000002
【特許請求の範囲】
【請求項１】
被覆電線の被覆体から所定の長さ露出した導電性の導線を接続するニュートラル側接続部を一端に有するとともに、コンセントに備わる長方形状のニュートラル側差込口に挿入可能なニュートラル側栓刃と、
被覆電線の被覆体から所定の長さ露出した導電性の導線を接続するライン側接続部を一端に有するとともに、コンセントに備わる長方形状のライン側差込口に挿入可能なライン側栓刃と、
絶縁体で被覆した信号線の前記絶縁体から所定の長さ露出した導電性の芯線を接続する芯線接続体を二本有する温度センサと、
前記ニュートラル側栓刃及びライン側栓刃の一端側並びに前記温度センサを覆うハウジングとを備える温度センサ付電源プラグであって、
前記温度センサの前記芯線接続体の一方を前記芯線と接続させるとともに、前記芯線接続体の他方と前記ニュートラル側栓刃とを前記ハウジング内で接続した
電源プラグ。
【請求項２】
前記ニュートラル側差込口の長手方向に対応する前記ニュートラル側栓刃の長さを、
前記ライン側差込口の長手方向の長さよりも長くした
請求項１に記載の電源プラグ。
【請求項３】
前記温度センサを、
前記ニュートラル側接続部と前記ライン側接続部との間に配置した
請求項１または請求項２に記載の電源プラグ。
【請求項４】
被覆電線の被覆体から所定の長さ露出した導電性の導線と接続する導線接続部を一端に有する複数の接続端子と、
絶縁体で被覆した信号線の前記絶縁体から所定の長さ露出した導電性の芯線と接続可能な芯線接続体を二本有する温度センサと、
前記接続端子の一端側と前記温度センサとを覆うハウジングとを備える温度センサ付電源プラグであって、
前記接続端子を、
コンセントに備えたニュートラル側差込口に挿入可能なアースピンと、前記コンセントに備えたニュートラル側差込口以外のプラグ差込口に挿入可能な極性側栓刃とで形成し、
前記温度センサの前記芯線接続体の一方と前記芯線とを接続するとともに、前記芯線接続体の他方を前記アースピンと前記ハウジング内で接続した
電源プラグ。
【請求項５】
請求項１乃至請求項３に記載の電源プラグであって、
前記ニュートラル側栓刃及び前記ライン側栓刃と接続した前記被覆電線と、前記温度センサの一方と接続した前記信号線とで構成する前記電源コードを、前記ハウジングから引き出したことを特徴とする
電源プラグ付き電源コード。
【請求項６】
請求項４に記載の電源プラグであって、
前記接続端子と接続した前記被覆電線と、前記温度センサの一方と接続した前記信号線とで構成する前記電源コードを、前記ハウジングから引き出したことを特徴とする
電源プラグ付き電源コード。
【発明の詳細な説明】
【技術分野】
【０００１】
この発明は、トラッキング現象の防止機構を有する電源プラグに関する。
【背景技術】
【０００２】
従来、エアコンや大型テレビ、洗濯機等の大容量電気機器においては、コンセントに電源プラグを長期間差し込んだままにすることがある。このような場合において、電源プラグとコンセントとの間に付着した埃などに空気中の湿気が含まれることで、プラグの栓刃間で放電が繰り返し発生し、埃などが炭化される。この炭化された埃などに電気が流れることにより、接触不良を起こすとともに、プラグの栓刃間に形成された埃などの温度が上昇し、場合によっては発火することが懸念される（以下、この現象を『トラッキング現象』という）。
【０００３】
このようなトラッキング現象を防止する電源プラグとして、例えば、特許文献１（特開２０１４−７５３３３号公報）に開示しているような電源プラグがある。  
詳述すると、特許文献１に記載の発明は、電源プラグの各栓刃に対して少なくとも1個ずつ温度センサを設けることにより、複数個の温度センサが対応する栓刃の温度変化を検出することができる電源プラグである。この電源プラグは、電源プラグの各栓刃に対して温度センサを設けているため、温度センサが検知する温度と各栓刃の温度との相関が高く、各栓刃の温度上昇に対して的確に応答でき、安全性が高い電源プラグを提供することができる。
【０００４】
しかしながら、特許文献１に開示された複数個の温度センサを有する電源コードは、各温度センサにつき往路及び復路に対応する信号線を有しており、該信号線が電源コードに沿って電気機器に繋がっているため、電源コード自体の重量が重くなるといった問題があった。
【先行技術文献】
【特許文献】
【０００５】
【特許文献１】特開２０１４−７５３３３号公報
【発明の概要】
【発明が解決しようとする課題】
【０００６】
本発明は、上記問題に鑑み、トラッキング現象を防止するとともに、電源コードの重量を軽量化することができる前記温度センサ付電源プラグを提供することを目的とする。
【課題を解決するための手段】
【０００７】
この発明は、被覆電線の被覆体から所定の長さ露出した導電性の導線を接続するニュートラル側接続部を一端に有するとともに、コンセントに備わる長方形状のニュートラル側差込口に挿入可能なニュートラル側栓刃と、被覆電線の被覆体から所定の長さ露出した導電性の導線を接続するライン側接続部を一端に有するとともに、コンセントに備わる長方形状のライン側差込口に挿入可能なライン側栓刃と、絶縁体で被覆した信号線の前記絶縁体から所定の長さ露出した導電性の芯線と接続可能な芯線接続体を二本有する温度センサと、前記ニュートラル側栓刃及びライン側栓刃の一端側並びに前記温度センサを覆うハウジングとを備える温度センサ付電源プラグであって、前記温度センサの前記芯線接続体の一方を前記芯線と接続させるとともに、前記芯線接続体の他方と前記ニュートラル側栓刃とを前記ハウジング内で接続することを特徴とする。
【０００８】
前記被覆体及び前記絶縁体とは、複数の被覆電線を被覆する絶縁性の高い部材であって、ポリエチレン系樹脂やラミネートシース、熱応力によって破損しにくい材質などを含む概念である。なお、前記被覆体及び前記絶縁体は、前記被覆体と前記絶縁体とが異なる部材で形成されている場合のみならず、同一の部材で形成されている場合を含む概念である。
【０００９】
前記温度センサとは、温度の変化により抵抗値が変わるサーミスタや、温度を直接的に感知し温度の変化を検知するセンサ、サーミスタを構成として含む温度センサ、前記温度センサ付電源プラグと繋がっている機器類において前記ハウジングに覆われた前記温度センサに流れる抵抗値や電流値を計測する構成などを有する温度センサなどを含む概念である。  
なお、サーミスタは温度の上昇に伴って抵抗値が上がるＰＴＣサーミスタや、抵抗値が下がるＮＴＣサーミスタ、ある温度を超えると急激に抵抗値が変わるＣＴＲサーミスタなどが含まれる。
【００１０】
前記芯線及び前記導線は、銅線などの単線や、銅線をより合わせたもの、アルミ線をより合わせたもの、銅やアルミを基礎とした合金からなる金属線などをより合わせたものなどを含む概念である。すなわち、導電性を有する部材であればどのような材質のものであってもよく、また金属線などをより合わせたものである必要もない。
【００１１】
さらにまた、前記芯線と前記導線とは、それぞれが互いに異なる径の金属線により形成されている場合や、同径の金属線により形成されている場合などを含む概念である。また、前記芯線と前記導線とは、異なる材質の金属線により形成されている場合や同一の金属線により形成されている場合などを含む概念である。
【００１２】
上述の前記芯線接続体の他方と前記ニュートラル側栓刃とを前記ハウジング内で接続することとは、前記温度センサに備えた前記芯線接続体のうち前記芯線と接続していない他方の前記芯線接続体を前記ニュートラル側栓刃に直接接触させて接続した場合や、前記芯線とは異なる芯線の一端を前記芯線接続体の他方に接続し、該芯線の他端を前記ニュートラル側接続部と接続する場合、前記芯線接続部と前記ニュートラル側接続部とを導電性を有する部材などで接続する場合を含む概念である。  
なお、上記導電性を有する部材とは、導電性を有していれば形状は問わず、紐状や帯状、面状などあらゆる形状を含む概念である。
【００１３】
この発明により、例えば日本の１００Ｖ用コンセントのようにプラグ差込口が二つである二口コンセントに対応した前記温度センサ付電源プラグであっても、トラッキング現象を防止するとともに、電源コードの重量を軽量化することができる。
【００１４】
詳述すると、前記プラグ差込口が二つあり、前記プラグ差込口の一方を接地している前記ニュートラル側差込口とする前記コンセントに対応する電源プラグにおいて、従来は、前記温度センサに備わる二本の前記芯線接続体には、それぞれ往路及び復路の信号線を接続し、各信号線は電線コードに沿ってコンセントから電気を供給し稼働する機器に繋がっていた。
【００１５】
しかし、本発明においては、前記ニュートラル側差込口に挿入可能な前記ニュートラル側栓刃と、前記温度センサの芯線接続体の他方とを前記ハウジング内で接続する構成としているため、コンセントから電気を供給し稼働する前記機器と前記温度センサ付電源プラグとを繋ぐ信号線の数を各前記温度センサにつき一本とすることができる。これにより、前記温度センサ付プラグと前記機器とを繋ぐ前記信号線の本数を減らすことができ、前記温度センサ付電源コードを軽量化することができる。
【００１６】
また、前記芯線接続体の他方を、前記ニュートラル側差込口に挿入する前記ニュートラル側栓刃と接続する構成としているため、前記温度センサの一方と接続した信号線から送られてきた電気信号をニュートラル側差込口に適切に流すことができ、温度センサが誤作動することを防止することができる。  
したがって、トラッキング現象を防止するとともに、前記信号線の数を減らすことにより、電源コードの重量を軽量化することができる前記温度センサ付電源プラグとすることができる。
【００１７】
またこの発明の態様として、前記ニュートラル側差込口の長手方向に対応する前記ニュートラル側栓刃の幅方向の長さ、すなわち前記ニュートラル側栓刃の刃幅を、前記ライン側差込口の長手方向の長さよりも長くすることができる。  
前記ニュートラル側栓刃の刃幅とは、前記ニュートラル側栓刃を前記ニュートラル側差込口に挿入できるように前記電源プラグを前記コンセントに対して配置させた場合において、前記ニュートラル側差込口の前記長手方向に対応する前記ニュートラル側栓刃の長さを指す。
【００１８】
また、上述の前記ニュートラル側栓刃の刃幅を、前記ライン側差込口の長手方向の長さよりも長くするとは、前記ニュートラル側栓刃の差し込み方向に垂直な方向における前記ニュートラル側栓刃の少なくとも一部分が前記ライン側差込口の長手方向の長さよりも長い形状を含む概念である。
【００１９】
この発明により、前記温度センサの誤作動を確実に防止することができる。  
詳述すると、前記ライン側差込口の長手方向に対応する前記ニュートラル側栓刃の刃幅を前記ライン側差込口の長手方向の長さよりも長くすることにより、前記ニュートラル側栓刃を前記ライン側差込口に挿入できないこととなる。そのため、前記温度センサに備わる前記芯線接続体の一方から他方に流れる電気信号が、前記ニュートラル側栓刃を前記ライン側差込口に挿入することにより逆方向に流れることを阻止することができ、前記温度センサの誤作動を確実に防止することができる。
【００２０】
またこの発明の態様として、前記温度センサを、前記ニュートラル側接続部と前記ライン側接続部との間に配置することができる。  
この発明により、トラッキング現象の際に発生する栓刃間の温度上昇を確実に検知することができ、安全性を高めることができる。
【００２１】
またこの発明の態様として、被覆電線の被覆体から所定の長さ露出した導電性の導線を接続する導線接続部を一端に有する複数の接続端子と、絶縁体で被覆した信号線の前記絶縁体から所定の長さ露出した導電性の芯線と接続可能な芯線接続体を二本有する温度センサと、前記接続端子の一端側と前記温度センサとを覆うハウジングとを備える温度センサ付電源プラグであって、前記接続端子を、コンセントに備えたアース側差込口に挿入可能なアースピンと、前記コンセントに備えたアース側差込口以外のプラグ差込口に挿入可能な極性側栓刃とで形成し、前記温度センサの前記芯線接続体の一方と前記芯線とを接続するとともに、前記芯線接続体の他方と前記アースピンとを前記ハウジング内で接続することを特徴とする。
【００２２】
前記接続端子は、ピン型、あるいはブレード型などの栓刃、あるいは接地端子などを含む概念である。  
前記アース側差込口とは、接地を目的としたアース専用の差込口のほか、例えば上述した日本の１００Ｖ用コンセント（二口コンセント）のように、接地しているコールド側差込口を含む概念である。
【００２３】
上述の前記芯線接続体の他方と前記アースピンとを前記ハウジング内で接続するとは、前記温度センサに備えた前記芯線接続体のうち前記芯線と接続していない他方の前記芯線接続体を前記アースピンに直接接触させて接続した場合や、前記芯線とは異なる芯線の一端を前記芯線接続体の他方に接続し、該芯線の他端を前記アースピンの前記導線接続部と接続する場合、前記芯線接続部と前記アースピンの前記導線接続部とを導電性を有する部材などで接続する場合を含む概念である。  
なお、上記導電性を有する部材とは、導電性を有していれば形状は問わず、紐状や帯状、面状などあらゆる形状を含む概念である。
【００２４】
この発明により、トラッキング現象を防止するとともに、電源コードを軽量化することができる電源プラグとすることができる。  
詳述すると、従来の温度センサ付電源プラグにおいては、前記温度センサに備わる二本の前記芯線接続体には、それぞれ往路及び復路の信号線を接続し、各信号線は電線コードに沿ってコンセントから電気を供給し稼働する機器に繋がっていた。しかし、本発明においては、前記温度センサの前記芯線接続体のうち、一方を前記芯線と接続し、他方を前記ハウジング内で前記アースピンと接続する構成としているため、コンセントから電気を供給し稼働する前記機器と前記温度センサ付電源プラグとを繋ぐ信号線の数を各前記温度センサにつき一本とすることができる。これにより、前記機器と前記電源プラグとを連結する信号線の数を減らすことができ、前記絶縁体で覆われた前記信号線と前記被覆電線とからなる電源コードの重量を軽減することができる電源プラグとなる。
【００２５】
また、上述したように、前記温度センサに備わる前記芯線接続体の他方は、従来の構成と同様に、接地された前記アースピンと接続されているため、前記芯線接続体の一方から流れてきた電気信号は従来通り前記アースピンを通りアースに流れることとなる。このため、前記温度センサが誤作動することはない。
【００２６】
したがって、トラッキング現象を防止するとともに、前記電源コードに沿う前記信号線の数を減らすことができ、前記電源コードを軽量化することができる前記温度センサ付電源プラグとすることができる。
【発明の効果】
【００２７】
本発明により、トラッキング現象を防止するとともに、電源コードを軽量化することができる前記温度センサ付電源プラグを提供することができる。
【図面の簡単な説明】
【００２８】
【図１】電源プラグの概略斜視図。
【図２】電源プラグの側面図。
【図３】図２中のＡ−Ａ矢視断面図。
【図４】図２中のＢ−Ｂ矢視断面図。
【図５】電源プラグの他の実施例の概略斜視図及び側面図。
【図６】他の実施例における、電源プラグの概略斜視図。
【図７】図６中のＣ−Ｃ矢視断面図。
【図８】図６中のＤ−Ｄ矢視断面図。
【発明を実施するための形態】
【００２９】
図１は、電源プラグ１における上方からの外観を示す概略斜視図を示し、図２は、電源プラグ１における側方からの外観を示す側面図を示し、図３は、図２中のＡ−Ａ矢視断面図を示し、図４は、図２中のＢ−Ｂ矢視断面図を示し、図５は、他の実施例の電源プラグ１の外観を示す概略斜視図及び側面図を示す。  
また、図６は、電源プラグ１ｘの概略斜視図を示し、図７は、図６に示す電源プラグ１ｘのＣ−Ｃ矢視断面図を示し、図８は、図６に示す電源プラグ１ｘのＤ−Ｄ矢視断面図を示す。
【００３０】
また、図１乃至図８において、電源プラグ１に備えられているライン側端子１０及びニュートラル側端子２０の長手方向をＸ軸方向とし、図１中の上下方向をＺ軸方向とする。そして、Ｘ軸方向及びＺ軸方向の双方に対して垂直な方向をＹ軸方向とする。さらに、図１中の左前側を前方側（＋Ｘ方向）、あるいは正面側とし、図１中の右奥側を後方側（−Ｘ方向）、あるいは背面側とする。さらに、図１中の上側を上方側（＋Ｚ方向）、下側を下方側（−Ｚ方向）、右前側を左側（＋Ｙ方向）、左奥側を右側（−Ｙ方向）とする。
【００３１】
以下、電源プラグ１の構成を図1乃至図４に基づいて説明する。  
電源プラグ１は、図１乃至図４に示すように、コンセントのライン側差込口（図示省略）に挿入可能なライン側端子１０、コンセントのニュートラル側差込口（図示省略）に挿入可能なニュートラル側端子２０、ライン側端子１０及びニュートラル側端子２０の一端を内包するハウジング３０、ハウジング３０の囲繞するプラグボディ４０、プラグボディ４０の下方から−Ｚ方向に延びる電線コード５０及びハウジング３０に内包される温度センサ端子６０で構成されている。
【００３２】
本実施例の電源プラグ１は、プラグ差込口が二つある二口コンセントであって、プラグ差込口の一方が接地しているニュートラル側差込口で、他方がライン側差込口であるコンセントに対応した電源プラグ１である。
【００３３】
ここで、ニュートラル側差込口は、コンセント内部において接地している差込口であり、コンセントの差込口の長手方向がＺ軸方向に沿う場合において、一般にコンセント差込口の左側となる差込口を指す。一方で、コンセントのライン側差込口とは、右側に配置されるプラグ差込口を指す。なお、ニュートラル側差込口は、ライン側差込口と比較して長手方向に対して若干長くなっている（図示省略）。
【００３４】
先端部分（＋Ｘ軸側）がライン側差込口に挿入可能なライン側端子１０は、ライン側栓刃１１、ライン側接続部１２、ライン側栓刃カバー１３とライン側係合孔１４とで構成されている（図１乃至図３参照）。
【００３５】
ライン側栓刃１１は、コンセントのライン側差込口とほぼ同形の底面を有するとともに、Ｘ軸方向に所定の長さを有する長方形板状の栓刃である。すなわち、ライン側栓刃１１の刃幅Ｗｌはコンセントのライン側差込口の長手方向の長さと略同一であり、ライン側栓刃１１をコンセントのライン側差込口に挿入可能な形状をしている。また、正面側（＋Ｘ軸方向）の先端部分は、側面視した状態で略山形状に突出している（図２（ｂ）参照）。
【００３６】
ライン側接続部１２は、ライン側端子１０の背面側端部に形成された円筒状の筒体である。ライン側接続部１２の背面略中央には、非貫通の穴を形成しており、後述するライン側導線５１ａの挿通を許容する。また、ライン側接続部１２のＸ軸方向略中心部分には、ライン側接続部１２に挿通したライン側導線５１ａとライン側端子１０を圧着することにより接続するライン側圧着部１５を備えている（図３参照）。
【００３７】
ライン側栓刃カバー１３は、絶縁性を有する合成樹脂からなり、ライン側栓刃１１のＸ軸方向に直交する断面の全周に亘って覆う形で成形される薄肉の絶縁被覆である。  
ライン側係合孔１４は、図１に示すように、ライン側栓刃１１の前方側部に形成された円形状の貫通孔であり、電源プラグ１をコンセントの差込口に挿入した際にコンセント内の金属板と係合して電源プラグ１がコンセントから容易に抜け落ちないようするための抜け落ち防止孔である。
【００３８】
ニュートラル側端子２０は、ライン側端子１０と同様に、先端部分（＋Ｘ軸方向）がニュートラル側差込口に挿入可能であり、ニュートラル側栓刃２１、ニュートラル側接続部２２、ニュートラル側栓刃カバー２３とニュートラル側係合孔２４とで構成されている。
【００３９】
ニュートラル側栓刃２１は、コンセントのニュートラル側差込口とほぼ同形の底面を有するとともに、Ｘ軸方向に所定の長さを有する長方形板状の栓刃である。また、ライン側栓刃１１と同様に、ニュートラル側栓刃２１の正面側（＋Ｘ軸方向）の先端部分は、側面視した状態で略山形状に突出している（図２参照）。
【００４０】
さらにまた、ニュートラル側栓刃２１の刃幅Ｗｎは、ライン側差込口の長手方向の長さよりも長くなるように形成されている。すなわち、ニュートラル側栓刃２１の刃幅Ｗｎは、ライン側栓刃１１の刃幅Ｗｌよりも長くなっている（図２参照）。
【００４１】
ニュートラル側接続部２２は、ライン側接続部１２と同様に、ニュートラル側端子２０の背面側端部に形成された円筒状の筒体であり、背面略中央には、非貫通の穴を形成しており、後述するライン側導線５２ａ及びアース用信号芯線５４ａの挿通を許容する。また、ニュートラル側接続部２２のＸ軸方向略中心部分には、ニュートラル側接続部２２に挿通したニュートラル側導線５２ａ及びアース用信号芯線５４ａを、ニュートラル側端子２０に圧着接続するニュートラル側圧着部２５を有している（図３参照）。
【００４２】
ニュートラル側栓刃カバー２３は、絶縁性を有する合成樹脂からなり、ニュートラル側栓刃２１のＸ軸方向に直交する断面の全周に亘って覆う形で成形される薄肉の絶縁被覆である。  
ニュートラル側係合孔２４は、図１に示すように、ニュートラル側栓刃２１の前方側部に形成された円形状の貫通孔であり、電源プラグ１をコンセントの差込口に挿入した際にコンセント内の金属板と係合して電源プラグ１がコンセントから容易に抜け落ちないようにするための抜け落ち防止孔である。
【００４３】
ハウジング３０は、正面部分を構成するハウジング３０ａ（図示省略）と背面部分を構成するハウジング３０ｂ（図示省略）をＸ軸方向に重ね合わせることにより形成される筐体であって、図３に示すように、ハウジング３０の内部には後述する電線コード５０の先端側を内蔵するための内部空間Ｓを有する。ハウジング３０の正面部分にはライン側端子１０のＸ軸方向への挿入を許容するライン側端子挿通孔３１、ニュートラル側端子２０のＸ軸方向への挿入を許容するニュートラル側端子挿通孔３２、後述する温度センサ端子６０の挿入を許容する温度センサ端子挿入穴３３を備え、ハウジング３０の下部には電源コード引出口３５を備えている。
【００４４】
ライン側端子挿通孔３１は、ハウジング３０（ハウジング３０ａ）の正面右側において―Ｘ軸方向から＋Ｘ軸方向に突出するように形成された突部であり、背面側が円筒状の筒体であるとともに、正面側が中空状の四角柱で形成されている。
【００４５】
そして、ライン側端子挿通孔３１の背面には、すなわち円筒状の筒体の背面には、ライン側端子１０の後端部であるライン側接続部１２よりも一回り大きい挿入口が形成されており、ライン側端子挿通孔３１の前方箇所である四角柱の背面には、ライン側栓刃カバー１３の外径と略同じ大きさの挿入口が形成され、ライン側栓刃カバー１３の挿入が可能となっている。
【００４６】
また、ライン側端子挿通孔３１の正面側端面にはライン側端子１０を正面視した際のライン側栓刃１１の底面の外形と略同一の大きさを有する貫通孔を備え、ライン側栓刃１１が＋Ｘ軸方向に貫通可能となっている。
【００４７】
ニュートラル側端子挿通孔３２は、ライン側端子挿通孔３１と同様に、ハウジング３０（ハウジング３０ａ）の正面左側において―Ｘ軸方向から＋Ｘ軸方向に突出するように形成された突部であり、背面側が円筒状の筒体であるとともに、正面側が中空状の四角柱で形成されている。
【００４８】
そして、ニュートラル側端子挿通孔３２の背面には、すなわち円筒状の筒体の背面には、ニュートラル側端子２０の後端部であるニュートラル側接続部２２よりも一回り大きい挿入口が形成されており、ニュートラル側端子挿通孔３２の前方箇所である四角柱の背面には、ニュートラル側栓刃カバー２３の外径と同じ大きさの挿入口が形成され、ニュートラル側栓刃カバー２３の挿入が可能となっている。
【００４９】
また、ニュートラル側端子挿通孔３２の正面側端面にはニュートラル側端子２０を正面視した際のニュートラル側栓刃２１の底面の外形と略同一の大きさを有する貫通孔を備え、ニュートラル側栓刃２１が＋Ｘ軸方向に貫通可能となっている。  
なお、ライン側端子挿通孔３１及びニュートラル側端子挿通孔３２の形状は、本実施例の形状に限定されるわけでなく、ライン側端子１０及びニュートラル側端子２０の形状に合わせて適宜変更する。
【００５０】
温度センサ端子挿入穴３３は、ハウジング３０の正面から前方に向けて突出する中空状の筒部であって、ライン側端子挿通孔３１とニュートラル側端子挿通孔３２との間に形成されている。また、温度センサ端子挿入穴３３は、前方に向けて延設した非貫通の穴を内部であるサーミスタ挿入穴３４を形成しており、温度センサ端子挿入穴３３は、後述する信号線５３などに接続した温度センサ端子６０の挿入を許容する。
【００５１】
電源コード引出口３５は、後述する電線コード５０の外形と略同一の形状をした開口部であり、ハウジング３０の下方に形成されている。なお、ハウジング３０ａには電源コード引出口３５の前方半分が形成され、ハウジング３０ｂには電源コード引出口３５の後方半分が形成されており、ハウジング３０ａとハウジング３０ｂとを組み合わせることで電源コード引出口３５を形成する構成となっている（図示省略）。
【００５２】
プラグボディ４０は、図１に示すように、ハウジング３０の全体及び電線コード５０の他端側（―Ｚ軸方向）の所定箇所に至る範囲までを被覆する合成樹脂であり、ポリ塩化ビニルで形成している。なお、合成樹脂は絶縁性を有していればよく、ポリ塩化ビニルに限定されるわけではなく、他の材質で形成されていても良い。
【００５３】
電線コード５０は、図１及び図４に示すように、絶縁体からなる絶縁体被膜５５で被覆されたライン側電線５１とニュートラル側電線５２と信号線５３とが一体となって形成された電線コードであり、電線コード５０の外周面には、ライン側電線５１、ニュートラル側電線５２、信号線５３を分離できるように境界部分に溝が形成されている。
【００５４】
ライン側電線５１及びニュートラル側電線５２は、図４に示すように、導電性を有する銅線をより合わせることにより形成されたライン側導線５１ａ及びニュートラル側導線５２ａを、絶縁性を有する絶縁体被膜５５で被覆した被覆電線である。なお、本実施例において、ライン側導線５１ａ及びニュートラル側導線５２ａは、銅線をより合わせることにより形成されているが、銅線に限定されるわけでなく、導電性を有していればどのような構成としても良く、例えば銅合金線やアルミ線、ガラスファイバなどであっても良い。
【００５５】
信号線５３は、ライン側導線５１ａなどと同様に、銅線をより合わせることにより形成された信号用芯線５３ａを、絶縁性を有する絶縁体被膜５５で被覆した信号線であり、上記のライン側電線５１及びニュートラル側電線５２の間に挟まれている（図４参照）。なお、ライン側電線５１は信号線５３の右側に配設されており、ニュートラル側電線５２は信号線５３の左側に配設されている。すなわち、ライン側電線５１とニュートラル側電線５２と信号線５３とは、Ｙ軸方向に沿って横並びに並んでいる。  
また、信号用芯線５３ａは、銅線をより合わせて形成されており、ライン側導線５１ａ及びニュートラル側導線５２ａと比べて径が細くなっているが、この実施形態に制限されるわけではない。
【００５６】
アース用信号線５４は、信号線５３と同径となるように銅線をより合わせて形成されるアース用信号芯線５４ａを絶縁体被膜５５で被覆したリード線であり、後述する温度センサ端子６０に備わる機器側接続体６３とニュートラル側端子挿通孔３２とを繋ぐことで温度センサ端子６０に流れる電気信号をニュートラル側に流す役割を担う信号線である。
【００５７】
温度センサ端子６０は、電源プラグ１の正面方向の温度変化を検知するための温度センサであり、端子支持体６１、サーミスタ端子６２、機器側接続体６３とニュートラル側接続体６４で構成されている。  
端子支持体６１は、サーミスタ挿入穴３４の外径よりも大きな外径を有するとともに、サーミスタ端子６２の挿通を許容する挿通孔を備えた円筒状の筒状体である。
【００５８】
サーミスタ端子６２は、端子支持体６１に備わる挿通孔に挿着された温度を検知するためのサーミスタ端子であり、端子保護カバー６５により正面部分が保護されている。
【００５９】
機器側接続体６３及びニュートラル側接続体６４は、サーミスタ端子６２の背面から−Ｘ軸方向に突出する導線接続部であり、図３に示すように、信号用芯線５３ａ及びアース用信号芯線５４ａと接続できるように形成されている導電性を有する導線である。  
なお、機器側接続体６３はサーミスタ端子６２の背面右側から後方に突出しており、ニュートラル側接続体６４はサーミスタ端子６２の背面左側から後方に突出している。
【００６０】
次に、上記電源プラグ１の製造方法を簡単に記載する。  
まず、ライン側電線５１とニュートラル側電線５２と信号線５３とが一体として形成されている電線コード５０の一端を、電線コード５０の外周面に形成された溝に沿ってライン側電線５１、ニュートラル側電線５２、信号線５３に分離する。
【００６１】
次に、信号用芯線５３ａを覆う絶縁体被膜５５を剥ぐことで信号用芯線５３ａを露出させ、温度センサ端子６０に備わる機器側接続体６３に接合する。また、アース用信号線５４の絶縁体被膜５５を剥いで露出させたアース用信号芯線５４ａの一端を温度センサ端子６０に備わるニュートラル側接続体６４に接合するとともに、アース用信号芯線５４ａの他端をニュートラル側接続部２２に挿入する。
【００６２】
同様に、ライン側電線５１の絶縁体被膜５５を剥いでライン側導線５１ａを露出させ、ライン側導線５１ａをライン側端子１０のライン側接続部１２に挿入しライン側圧着部１５を圧着することにより接合し、ニュートラル側電線５２の絶縁体被膜５５を剥いで露出させたニュートラル側導線５２ａをニュートラル側接続部２２に挿入し、ニュートラル側圧着部２５を圧着することで、ニュートラル側端子２０をニュートラル側電線５２及びアース用信号線５４と接合する。
【００６３】
このように、ライン側接続部１２及びニュートラル側接続部２２を中空状の筒体とし、その内部空間にライン側導線５１ａなどを挿入し圧着接続することで、ライン側端子１０とライン側電線５１、ニュートラル側端子２０とニュートラル側電線５２及びアース用信号線５４とを確実に接続することができる。
【００６４】
次に、信号線５３及びアース用信号線５４と接合した温度センサ端子６０を温度センサ端子挿入穴３３の背面に形成されているサーミスタ挿入穴３４に挿入する。同様に、ライン側導線５１ａを接続したライン側端子１０の一端側であるライン側栓刃１１及びニュートラル側導線５２ａを接続したニュートラル側端子２０の一端側であるニュートラル側栓刃２１をそれぞれライン側端子挿通孔３１及びニュートラル側端子挿通孔３２に挿通する。
【００６５】
この際、ライン側栓刃カバー１３及びニュートラル側栓刃カバー２３の外形は、ライン側端子挿通孔３１及びニュートラル側端子挿通孔３２の正面側に形成された貫通孔よりも大きいため、ライン側端子１０及びニュートラル側端子２０の前方への移動が規制されることとなる。
【００６６】
次に、ライン側端子１０などと接合したライン側電線５１の他端側である電線コード５０を下方に引っ張りハウジング３０ａに形成される電源コード引出口３５の前方部分に添え、ハウジング３０ｂをハウジング３０ａに対して−Ｘ軸方向から組付けることで電線コード５０はハウジング３０の電源コード引出口３５から引き出された形状となる。この際、ライン側電線５１とニュートラル側電線５２と信号線５３の一端部分及びアース用信号線５４はハウジング３０の収容空間Ｓに収納されることとなる（図３参照）。
【００６７】
このようにしてライン側端子１０、ニュートラル側端子２０、温度センサ端子６０をハウジング３０に組付けるとともに、ライン側端子１０、ニュートラル側端子２０及び温度センサ端子６０と接合させた電線コード５０をハウジング３０の下方から引き出すことにより、ライン側電線５１などから露出したライン側導線５１ａなどと接続したライン側端子１０及びニュートラル側端子２０の一端側並びに温度センサ端子６０をハウジング３０で内包することができるとともに、ライン側端子１０の先端部分であるライン側栓刃１１とニュートラル側端子２０の先端部分であるニュートラル側栓刃２１とがハウジング３０の正面から前方（＋Ｘ軸方向）に向けて突出した状態となる。  
このような状態において、ハウジング３０の上方から電線コード５０の所定箇所に至る範囲を射出成型によって被覆して合成樹脂製のプラグボディ４０を形成し、電源プラグ１を構成することができる（図１参照）。
【００６８】
このように、ライン側電線５１の絶縁体被膜５５から所定の長さ露出した導電性のライン側導線５１ａを接続するライン側接続部１２を一端に有するとともに、コンセントに備わる長方形状のライン側差込口に挿入可能なライン側端子１０と、ニュートラル側電線５２の絶縁体被膜５５から所定の長さ露出した導電性のニュートラル側導線５２ａを接続するニュートラル側接続部２２を一端に有するとともに、コンセントに備わる長方形状のニュートラル側差込口に挿入可能なニュートラル側端子２０と、絶縁体被膜５５で被覆した信号線５３の絶縁体被膜５５から所定の長さ露出した導電性の信号用芯線５３ａと接続可能な機器側接続体６３及びニュートラル側接続体６４を有する温度センサ端子６０と、ライン側端子１０及びニュートラル側端子２０の一端側並びに温度センサ端子６０を覆うハウジング３０とを備える電源プラグ１において、温度センサ端子６０の機器側接続体６３を信号用芯線５３ａと接続させるとともに、ニュートラル側接続体６４とニュートラル側端子２０とをハウジング３０内で接続することにより、例えば日本の１００Ｖ用コンセントのようにプラグ差込口が二つであるコンセントに対応した電源プラグ１について、トラッキング現象を防止するとともに、電線コード５０の重量を軽減することができる電源プラグ１とすることができる。
【００６９】
詳述すると、プラグ差込口が二つあるコンセントのプラグ差込口の一方を、接地されているニュートラル側差込口とする二口コンセントに対応する電源プラグ１において、ニュートラル側差込口に挿入可能なニュートラル側端子２０と、温度センサ端子６０の機器側接続体６３及びニュートラル側接続体６４の他方とを接続することにより、電源プラグ１と機器とを繋ぐ信号線５３の本数を減らすことができ、電線コード５０の重さを軽減した電源コード１とすることができる。
【００７０】
また、ニュートラル側接続体６４を、アース用信号芯線５４を介してコンセントのニュートラル側差込口に挿入するニュートラル側端子２０と接続する構成としているため、温度センサ端子６０の一方である機器側接続体６３と接続した信号線５３から送られてきた電気信号をコンセントのニュートラル側差込口に適切に流すことができるため、温度センサ端子６０が誤作動することを防止することができる。  
したがって、トラッキング現象を防止するとともに、機器とプラグとを繋ぐ信号線５３の数を減らすことにより、電線コード５０の重さを軽減した電源プラグ１とすることができる。
【００７１】
また、ニュートラル側差込口の長手方向に対応するニュートラル側端子２０の刃幅Ｗｎを、ライン側差込口の長手方向の長さよりも長くすることにより、温度センサ端子６０の誤作動を確実に防止することができる。
【００７２】
詳述すると、ライン側差込口の長手方向に対応するニュートラル側端子２０の刃幅Ｗｎをコンセントのライン側差込口の長手方向の長さよりも長くすることにより、ニュートラル側端子２０をライン側差込口に挿入することができない。
【００７３】
そのため、ニュートラル側端子２０をコンセントのニュートラル側差込口にのみに確実に挿入することができ、温度センサ端子６０に備わる機器側接続体６３及びニュートラル側接続体６４の一方から他方に流れる電気信号が、ニュートラル側端子２０をライン側差込口に挿入することにより逆方向に流れることを阻止することができ、温度センサ端子６０の誤作動を確実に防止することができる。
【００７４】
さらにまた、温度センサ端子６０を、ニュートラル側接続部２２とライン側接続部１２との間に配置することにより、トラッキング現象の際に発生するライン側端子１０およびニュートラル側端子２０の間の温度変化を温度センサ端子６０により確実に検知することができ、より安全性を高めることができる。
【００７５】
この発明の構成と、上述の実施形態との対応において、
ニュートラル側栓刃は、ライン側端子１０に対応し、
ニュートラル側接続部は、ライン側接続部１２に対応し、
ライン側栓刃は、ニュートラル側端子２０に対応し、
ライン側接続部は、ニュートラル側接続部２２に対応し、
被覆電線は、ライン側電線５１及びニュートラル側電線５２に対応し、
導線は、ライン側導線５１ａ及びニュートラル側導線５２ａに対応し、
被覆体及び絶縁体は、絶縁体被膜５５に対応し、
芯線は、信号用芯線５３ａに対応し、
温度センサは、温度センサ端子６０に対応し、
芯線接続体は、機器側接続体６３及びニュートラル側接続体６４に対応し、
温度センサ付電源プラグは、電源プラグ１に対応するが、この発明は、上述の実施形態の構成のみに限定されるのもではなく、多くの実施の形態を得ることができる。
【００７６】
例えば、本実施例においては、ライン側接続部１２及びニュートラル側接続部２２は中空状の筒体としているが、上記形状に限定されるものではなく、例えば、ライン側端子１０及びニュートラル側端子２０の後方端部にネジの挿通を許容する挿通孔をＹ軸方向に形成し、貫通孔の表面にらせん状の溝部を形成してもよい。
【００７７】
これにより、図示しないネジとライン側端子１０とが螺合可能となり、ライン側電線５１の先端部分から露出させたライン側導線５１ａをネジに巻き付け、絶縁体被膜５５に該ネジを螺合しライン側端子１０とライン側電線５１とを接続することができる。
【００７８】
またこの場合においても、ライン側端子１０の背面端部に形成された貫通孔は、必ずしもＹ軸方向に形成されている必要はなく、ライン側導線５１ａと接続可能であるならばどの方向に貫通していても良いし、非貫通式の穴であっても良い。
【００７９】
また、本実施例において、ライン側導線５１ａをライン側端子１０の後端部に備えたライン側接続部１２に挿入し、ライン側圧着部１５を圧着することによりライン側電線５１とライン側端子１０とを接続を接合しているが、例えば、上記のようにライン側接続部１２に貫通孔を設けることにより、ネジを用いて電線コード５０とライン側端子１０とを接続しても良いし、ライン側電線５１をライン側接続部１２とはんだ付けなどで溶接して固定する形状としても良い。これにより、より確実にライン側導線５１ａなどとライン側端子１０などを接続することができる。
【００８０】
また、本実施例においては、−Ｚ軸方向に沿って電線コード５０を延ばす形状の電源プラグ１としているが、−Ｘ軸方向に電源コード５０が延びる形状としても良い。なお、本実施例のように、−Ｚ軸方向に沿って電源コード５０を延ばすことにより、コンセントのプラグ差込口のセットが二つある場合であっても、例えば、上側に電源プラグ１を挿入することで下方のプラグ差込口には他の電源プラグを挿入することを阻止することができる。
【００８１】
この際に、ライン側端子１０及びニュートラル側端子１２が前記コンセントの上方差込口に挿入できる位置に配置した場合において、電源プラグ１に備わるライン側端子１０及びニュートラル側端子１２の下方にあるとともに前記コンセントの下方差込口に対応した位置にダミーとなる栓刃を備える形状としても良い。このような構成とすることで、コンセントに他の電源プラグを差し込むことを妨げるとともに、コンセントがより抜けないようにすることができる。
【００８２】
ここで、本実施例において、ニュートラル側栓刃２１の刃幅Ｗｎがコンセントのライン側差込口の長手方向に対する長さよりも長くなるように形成されているとは、ニュートラル側栓刃２１の刃幅Ｗｎがコンセントのライン側差込口の長手方向に対する長さよりも長ければよく、例えば図５に示すように、ライン側端子１０のＺ軸方向に対する長さをライン側差込口の高さと略等しくし、ニュートラル側栓刃２１刃幅Ｗｎの一部分をライン側端子１０の刃幅Ｗｌよりも高くしても良い。
【００８３】
また、本実施例においては、ライン側電線５１、ニュートラル側電線５２、信号線５３をＹ軸方向に沿って横並びとなるように電線コード５０を構成しているが、この形状に限定されるものでなく、ライン側電線５１、ニュートラル側電線５２、信号線５３をより合わせる構成としても良い。この場合において、信号線５３は、ライン側電線５１とニュートラル側電線５２との間に挟まれる形状が好ましい。ライン側電線５１及びニュートラル側電線５２に電流が流れることにより生じる電場の影響を極力少なくできるからである。
【００８４】
さらに、上記実施例においては、プラグ差込口が二つある二口コンセントであって、プラグ差込口の一方が接地しているニュートラル側差込口で、他方が電気が流れてくるライン側差込口である二口コンセントに対応した電源プラグとしているが、接地極が備わる三口コンセントに対応した電源プラグとしても良い。
【００８５】
以下では、三口コンセントに対応したアース付電源プラグ１ｘについて図６乃至図８に基づいて説明する。  
但し、以下で説明するアース付電源プラグ１ｘの構成のうち、上述した実施例における電源プラグ１と同様の構成については、同一の符号を付して、その説明を省略する。
【００８６】
ここで、三口コンセントとは、端子を挿入できるプラグ挿入口を三つ備えるコンセントであり、プラグ差込口は電気が流れてくるライン側差込口と、電気が流れていくニュートラル側差込口と、接地極であるアース差込口からなる。なお、ライン側差込口の長手方向が縦方向になるように配置した場合において、アース差込口は、一般的に、ライン側差込口及びニュートラル側差込口の下方に位置する。
【００８７】
アース付電源プラグ１ｘは、図６及び図７に示すように、ライン側端子１０、ニュートラル側端子２０ｘ、ハウジング３０、プラグボディ４０、三口コンセント用電線コード５０ｘ、温度センサ端子６０とアース用端子７０とで構成されている。
【００８８】
ライン側端子１０は、アースピン挿入口が下方に位置するように三口コンセントを配置した場合において、三口コンセントの右側上部に位置するライン側差込口に挿入可能な栓刃である。
【００８９】
ニュートラル側端子２０ｘは、三口コンセントの左側上部に位置するニュートラル側差込口に挿入する端子であって、コールド用栓刃２１ｘ、コールド用接続部２２ｘ、コールド用栓刃カバー２３ｘ、ニュートラル側係合孔２４ｘで形成されている。なお、ニュートラル側端子２０ｘの構成であるコールド用栓刃２１ｘ、コールド用接続部２２ｘ、コールド用栓刃カバー２３ｘ、ニュートラル側係合孔２４ｘはそれぞれ上記のニュートラル側栓刃２１、ニュートラル側接続部２２、ニュートラル側栓刃カバー２３、ニュートラル側係合孔２４と同じ構成であるため説明を省略する。
【００９０】
ハウジング３０には、上記の電線プラグ１のハウジング３０の構成の他、正面方向に突出しているアースピン挿入穴３７が形成されている。アースピン挿入穴３７は、三口用アースピン７１の外径よりも一回り大きな挿通孔を背面側に有するとともに、正面側に三口用アースピン７１の外径と略等しい径を有する貫通孔を有している。
【００９１】
三口コンセント用電線コード５０ｘは、図８に示すように、絶縁体からなる絶縁体被膜５５で被覆されたライン側電線５１とニュートラル側電線５２ｘとアース用電線５６と信号線５３とが一体となって形成された電線コードであり、ライン側電線５１、ニュートラル側電線５２ｘ、及びアース用電線５６は信号線５３を囲繞するように配置され、全体を絶縁体で被覆している。
【００９２】
また、三口コンセント用電線コード５０ｘの外周面には、図８に示すように、ライン側電線５１、ニュートラル側電線５２ｘ、アース用電線５６を分離できるように境界部分に溝が形成されている。また、信号線５３も、ライン側電線５１などと分離できるように形成されている（図示省略）。  
なお、ニュートラル側電線５２ｘは、ニュートラル側導線５２ｘａを絶縁体被覆５５で被覆しており、ニュートラル側電線５２と同様の構成をしている。
【００９３】
アース用電線５６は、図８に示すように、三口コンセント用電線コード５０ｘの前方側（＋Ｘ軸方向側）に位置し、ライン側電線５１及びニュートラル側電線５２ｘと同様に、銅線をより合わせたアース用電線５６ａを絶縁体被膜５５で被覆した被覆電線である。
【００９４】
アース用端子７０は、三口コンセントのアースピン差込口に挿入可能な平面視円形のピン型端子であり、三口用アースピン７１、アースピン接続部７２、アースピンカバー７３で構成されている。  
三口用アースピン７１は、三口コンセントのアースピン差込口とほぼ同形の底面を有するとともに、Ｘ軸方向に所定の長さを有する円柱状のピン型端子本体部である。
【００９５】
アースピン接続部７２は、アース用端子７０の背面側端部に形成された円筒状の筒体であり、背面略中央には、アース用信号芯線５４ａ及びアース用電線５６ａの挿通を許容する非貫通の穴を形成している。また、アースピン接続部７２のＸ軸方向略中心部分には、アースピン接続部７２の背面に形成されている穴に挿通したアース用信号芯線５４ａ及びアース用電線５６ａを、アース用端子７０に圧着接続するアース用圧着部７５を有している（図７参照）。  
アースピンカバー７３は、絶縁性を有する合成樹脂からなり、三口用アースピン７１のＸ軸方向に直交する断面の全周に亘って覆う形で成形される薄肉の絶縁被覆である。
【００９６】
このように構成された、ライン側電線５１、ニュートラル側電線５２ｘ及びアース用電線５６の絶縁体被膜５５から所定の長さ露出した導電性の導線であるライン側導線５１ａ、ニュートラル側電線５２ｘａ及びアース用電線５６ａを接続するライン側接続部１２、コールド用接続部２２ｘ、及びアースピン接続部７２を一端に有するライン側端子１０、ニュートラル側端子２０ｘ、アース用端子７０と、絶縁体被膜５５で被覆した信号線５３の絶縁体被膜５５から所定の長さ露出した導電性の芯線５３ａと接続可能な機器側接続体６３、及びニュートラル側芯線５４ａと接続可能なニュートラル側接続体６４の二本の芯線接続体を有する温度センサ端子６０と、ライン側端子１０、ニュートラル側端子２０ｘ、アース用端子７０の一端側と温度センサ端子６０とを覆うハウジング３０とを備えるアース付電源プラグ１ｘであって、ライン側端子１０、ニュートラル側端子２０ｘ、アース用端子７０を、コンセントに備えたニュートラル側差込口に挿入可能なアース用端子７０と、コンセントに備えたニュートラル側差込口以外のプラグ差込口に挿入可能なライン側端子１０及びニュートラル側端子２０ｘとで形成し、温度センサ端子６０の機器側接続体６３と芯線５３ａとを接続するとともに、ニュートラル側接続体６４とアース用端子７０とをハウジング３０内で接続することにより、トラッキング現象を防止するとともに、三口コンセント用電線コード５０ｘの重量を軽減できるアース付電源プラグ１ｘとすることができる。
【００９７】
詳述すると、従来、温度センサ端子６０に備わる二本の機器側接続体６３及びニュートラル側接続体６４には、それぞれ往路及び復路の信号線５３を接続し、各信号線５３は三口コンセント用電線コード５０ｘに沿ってコンセントから電気を供給し稼働する機器に繋がっていた。しかし、本発明においては、温度センサ端子６０の機器側接続体６３を芯線５３ａと接続して、ニュートラル側接続体６４をハウジング３０内でアース用端子７０と接続する構成としているため、コンセントから電気を供給し稼働する機器とアース付電源プラグ１ｘとを繋ぐ信号線５３の数を各温度センサ端子６０につき一本とすることができる。これにより、機器とアース付電源プラグ１ｘとを連結する信号線５３の数を減らすことができ、絶縁体被膜５５で覆われた信号線５３とライン側電線５１、ニュートラル側電線５２及びアース用電線５６とからなる三口コンセント用電線コード５０ｘの重量を軽減することができる。
【００９８】
また、温度センサ端子６０に備わるニュートラル側接続体６４は、従来の構成と同様に、接地されたアース用端子７０と接続されているため、機器側接続体６３から流れてきた電気信号は従来通りアース用端子７０を通りアースに流れることとなる。このため、温度センサ端子６０が誤作動することはない。
【００９９】
したがって、トラッキング現象を防止するとともに、信号線５３の数を減らすことにより三口コンセント用電線コード５０ｘの重量を軽くできるアース付電源プラグ１ｘとすることができる。
【０１００】
なお、この発明の構成と、上述の実施形態との対応において、
被覆電線は、ライン側電線５１、ニュートラル側電線５２ｘ及びアース用電線５６に対応し、
導線は、ライン側導線５１ａ、ニュートラル側電線５２ｘａ及びアース用電線５６ａに対応し、
導線接続部は、ライン側接続部１２、コールド用接続部２２ｘ、及びアースピン接続部７２に対応し、
接続端子は、ライン側端子１０、ニュートラル側端子２０ｘ及びアース用端子７０に対応し、
アースピンは、アース用端子７０に対応し、
極性側栓刃は、ライン側端子１０、ニュートラル側端子２０ｘに対応し、
温度センサ付電源プラグは、アース付電源プラグ１ｘに対応するが、この発明は、上述の実施形態の構成のみに限定されるのもではなく、多くの実施の形態を得ることができる。
【符号の説明】
【０１０１】
１    温度センサ付電源プラグ
１２  導線接続部又はニュートラル側接続部
１０  ニュートラル側栓刃又は極性側栓刃
２２  導線接続部又はライン側接続部
２３  ライン側栓刃又は極性側栓刃
３０  ハウジング
５１、５２及び５６  被覆電線
５１ａ、５２ａ、５２ｘａ及び５６ａ  導線
５３  信号線
５３ａ  芯線
５５  被覆体及び絶縁体
６０  温度センサ
６３及び６４  芯線接続体
７０  アースピン
【図１】
2016115520.tif 000003
【図２】
2016115520.tif 000004
【図３】
2016115520.tif 000005
【図４】
2016115520.tif 000006
【図５】
2016115520.tif 000007
【図６】
2016115520.tif 000008
【図７】
2016115520.tif 000009
【図８】
2016115520.tif 000010